(57)【特許請求の範囲】
【請求項１】
固定物にボルトとナットによって緊結される被固定物と、前記ボルトまたはこのボルトに螺合したナットが緩むのを防止する回り止め機構とからなるボルトまたはナットの回り止め構造であって、
前記回り止め機構は、
ボルトの頭部またはナットとこれに対向する被固定物の対向面との間に介在させるボルトの頭部またはナットより径小のスペーサーと、
前記頭部またはナットの外側部に係合可能な係合孔を穿設するとともに、被固定物に水平回転不能に配置した回り止め板と、
回り止め板と前記対向面との間に介在させるとともに前記スペーサーが内接するように配置可能な弾性体とを有し、
常時は前記係合孔が前記頭部またはナットの外側部に係合し、回り止め板を前記対向面側に押圧すると、回り止め板が弾性体の弾性力に抗して下降し、前記係合孔と前記頭部またはナットの外側部との係合が解除されるように構成したことを特徴とするボルトまたはナットの回り止め構造。
【請求項２】
前記スペーサーおよび弾性体の下方に座金を配置させ、この座金をスペーサーの下面と被固定物の対向面とで挟持し、座金、弾性体および回り止め板を相互に接合して一体とした請求項１に記載のボルトまたはナットの回り止め構造。
【請求項３】
前記被固定物には、ボルトの頭部またはナットに対向する対向面としての底面部と中心方向を除く三方を取り囲む側面部とから凹溝を形成するとともに、前記回り止め板はその外周が前記凹溝の側面部に係合する平面視四角形状に形成され、前記回り止め板が前記被固定物に水平回転不能に配置された請求項１または請求項２に記載のボルトまたはナットの回り止め構造。
【発明の詳細な説明】
【０００１】
【発明の属する技術分野】
本発明は、固定物に被固定物をボルトおよびナットで締付けて固定した後、ボルトまたはナットが緩むのを防止することができるボルトまたはナットの回り止め構造に関するものである。
【０００２】
【従来の技術】
従来、ボルトまたはナットの回り止め構造として、例えば実開昭５２−１７０９５８号公報に記載された緩み止め板や実公平３−３２８２５号公報に記載のボルト又はナットの回り止め用座金が知られている。
【０００３】
前者の緩み止め板は、基板にボルトの頭部に嵌合する開口を設け、この開口の内周縁には複数の舌を設けるとともに、対向する舌の先端間の距離をボルトの頭部の対角距離よりも小さくするようにして舌を折り曲げ、基板には緊締対象物の側面に係合させる係合部を設けてボルトまたはナットの緩みを防止している。
【０００４】
後者のボルトまたはナットの回り止め用座金は、薄板等の金属製または合成樹脂板製等の比較的弾性を有する材料で形成されており、台座にボルトを挿通可能なボルト挿通孔を形成し、緊締対象物に形成した溝部に係合させる係止片を台座の両端に形成し、前記ボルト挿通孔の周縁に切込み部を設けて当接片と抜止片とを形成している。この当接片は、ボルトの頭部の側面に弾性復元力によって当接させてボルトの緩みを防止し、抜止片は、ボルトの頭部の下方に形成される空間に配置させて座金が抜けるのを防止している。
【０００５】
【発明が解決しようとする課題】
しかしながら、上述した前者の緩み止め板にあっては、ボルトまたはナットを回転させる場合には、緩み止め板を取り外さなければならないため、緩み止め板を紛失してしまったり、施工完了後に緩み止め板を装着するのを忘れてしまい、その後ボルトまたはナットが緩んでしまうという問題があった。
【０００６】
また、後者のボルトまたはナットの回り止め用座金にあっては、弾性復元力を利用して当接片をボルトの頭部の側面に当接させていることから、その状態でボルトを回転させれば、当接片を変形させながら回転させることができるが、作業の度に座金が変形してしまい新しい座金に取り替えなければならないという問題があった。
【０００７】
そこで、本発明は、取り外さなくてもボルトまたはナットを回転させることができ、しかも回転させた後も取り替える必要のないボルトまたはナットの回り止め構造を提供することを目的とする。
【０００８】
【課題を解決するための手段】
上記の目的を達成するために、本発明のボルトまたはナットの回り止め構造は固定物にボルトとナットによって緊結される被固定物と、前記ボルトまたはこのボルトに螺合したナットが緩むのを防止する回り止め機構とからなるボルトまたはナットの回り止め構造であって、前記回り止め機構は、ボルトの頭部またはナットとこれに対向する被固定物の対向面との間に介在させるボルトの頭部またはナットより径小のスペーサーと、前記頭部またはナットの外側部に係合可能な係合孔を穿設するとともに、被固定物に水平回転不能に配置した回り止め板と、回り止め板と前記対向面との間に介在させるとともに前記スペーサーが内接するように配置可能な弾性体とを有し、常時は前記係合孔が前記頭部またはナットの外側部に係合し、回り止め板を前記対向面側に押圧すると、回り止め板が弾性体の弾性力に抗して下降し、前記係合孔と前記頭部またはナットの外側部との係合が解除されるように構成したことを特徴としている。
【０００９】
このような構成としたことにより、常時は回り止め板の係合孔がボルトの頭部またはナットの外側部に係合しているため、ボルトまたはナットの緩みを防止することができる。また、ボルトまたはナットを緩める場合、工具で回り止め板を対向面側に押圧すると回り止め板が弾性体の弾性力に抗して下降しボルトまたはナットとの係合が解除されるため、ボルトまたはナットを緩めることができる。さらに、ボルトまたはナットを回転させた後においては、工具を外すときにボルトの頭部またはナットと回り止め板の係合孔とを整合させるようにすれば、回り止め板が弾性体の弾性復元力によって上昇して回り止め板の係合孔がボルトの頭部またはナットの外側部に係合し、ボルトまたはナットの緩みを防止することができる。
【００１０】
【発明の実施の形態】
本発明のボルトまたはナットの回り止め構造では、前記スペーサーおよび弾性体の下方に座金を配置させ、この座金をスペーサーの下面と被固定物の対向面とで挟持し、座金、弾性体および回り止め板を相互に接合して一体としたことにより、装着後、振動や衝撃等で回り止め板がボルトまたはナットから外れるのを防止することができる。
また、前記被固定物には、ボルトの頭部またはナットに対向する対向面としての底面部と中心方向を除く三方を取り囲む側面部とから凹溝を形成するとともに、前記回り止め板はその外周が前記凹溝の側面部に係合する平面視四角形状に形成され、前記回り止め板が前記被固定物に水平回転不能に配置したことにより、ボルトまたはナットの緩みを確実に防止することができる。
【００１１】
【実施例】
以下、本発明の実施例を図面を参照して具体的に説明する。先ず、第１実施例を図１乃至図４を用いて説明する。
【００１２】
なお、この実施例では、マンホールを構成する固定物としての側塊１と、その上方に設置される被固定物としての受枠２とをボルト３で固定し、このボルト３の緩みを回り止め機構によって防止するようにしている。
【００１３】
側塊１には、図１に示すように、その内周面上部の等間隔位置３ヵ所に固定突出部１ａを設け、この固定突出部１ａにはその上下に貫通するインサートナット１ｂを埋設している。
【００１４】
この側塊１上に設置される受枠２は、その内周面上部で蓋本体(図示せず)を開閉可能に嵌合支持するものであり、この受枠２の内周面下部には、側塊１の上方に設置したときに前記側塊１の固定突出部１ａと整合する突出部２ａを、周方向に等間隔で３ヵ所形成している。この突出部２ａの上面には、ボルト３の頭部３ａに対向する対向面としての底面部６と中心方向を除く三方を取り囲む側面部５とからなる凹溝４を形成し、その底面部６の中央には前記インサートナット１ｂの軸線上に、ボルト３の径よりやや径大の透孔６ａを穿設している。
【００１５】
この受枠２は、間に嵩調整リング７を介在した状態で側塊１上に設置し、その突出部２ａの底面部６上に、後述する回り止め機構としての回り止め板８、弾性体１０，座金１１およびスペーサー１２を配置した状態で、透孔６ａにボルト３を上方から挿通させ、その先端を側塊１のインサートナット１ｂに螺合させて側塊１に固定させている。
【００１６】
以下、回り止め機構について説明する。
回り止め板８は、図２および図３に示すように、その外周が凹溝４の側面部５に係合する平面視四角形状の平板で、その中央には、ボルト３の六角形状の頭部３ａの外側部に係合する係合部９ａを３０°間隔の１２カ所に設けた係合孔９を形成している。
【００１７】
また、回り止め板８の下方には、クロロプレンゴムからなる平面視四角形状の弾性体１０を配置し、回り止め板８を押圧することで回り止め板８がボルト３の軸方向に下降可能としている。なお、本実施例では、弾性体１０としてクロロプレンゴムを使用したが、スポンジ、皿バネまたはコイルバネ等を使用することもできる。
【００１８】
さらに、弾性体１０の下方には、平面視四角形状の座金１１を配置させ、この座金１１、弾性体１０および回り止め板８を相互に接着して一体にしている。
【００１９】
前記座金１１の内周側上面には、ボルト３が挿通可能でボルト３の頭部３ａより径小の筒状のスペーサー１２を前記弾性体１０に内接するようにして配置し、回り止め板８を押圧した場合に回り止め板８がボルト３の頭部３ａより下方に位置するように、ボルト３の頭部３ａ下面と座金１１上面との間に一定の間隔を保持させている。
【００２０】
上記構成において、側塊１への受枠２の設置は次のようにして行う。
まず、側塊１の上面に設置した蒿調整リング７の上面に受枠２を設置し、受枠２の突出部２ａに形成した凹溝４の底面部６に、一体とした座金１１，弾性体１０および回り止め板８を配置するとともに、スペーサー１２を底面部６の透孔６ａと連通するように配置する。そして、回り止め板８の係合孔９にボルト３を挿通し、側塊１の固定突出部１ａに埋設したインサートナット１ｂにボルト３の先端を螺合する。このとき、図４（イ）に示すように、ボルト３の頭部３ａにボックススパナ１３を被せ、弾性体１０の弾性力に抗して回り止め板８を上方から押圧すると、回り止め板８がボルト３の頭部３ａより下方に移動し、係合孔９の係合部９ａとボルト３の頭部３ａの外側部との係合が解除されるので、その状態でボルト３を締付ければよい。
【００２１】
ボルト３の締付け完了後、図４（ロ）に示すように、ボックススパナ１３を取り外すと、回り止め板８が弾性体１０の弾性復元力によって上昇し、係合孔９の係合部９ａがボルト３の頭部３ａの外側部に係合することになり、ボルト３の緩みを防止することができる。このとき、係合孔９の係合部９ａは、３０°間隔で１２カ所に形成されているため、ボルト３の六角形状の頭部３ａ外側部に係合しない位置があるが、その場合には、ボルト３を僅かに回転させるか、回り止め板８を凹溝４内で水平方向にガタつかせるようにすれば、係合孔９の係合部９ａをボルト３の頭部３ａの外側部に係合させることができる。
【００２２】
このように、本実施例のボルトまたはナットの回り止め構造にあっては、回り止め板８の外周が凹溝４の側面部５に係合し水平回転不能とされるとともに、係合孔９の係合部９ａがボルト３の頭部３ａの外側部に係合することによってボルト３の緩みを防止するようにしている。また、ボルト３を再度回転させる場合は、回り止め板８をボックススパナ１３で押圧すれば、上記で述べたとおり係合部９ａとボルト３の頭部３ａの外側部との係合が解除されるため、回り止め板８を外さずにボルト３を回転させることができる。しかもボルト３を回転した後においても、上記で述べたとおり、回り止め板８の押圧を解除するだけで回り止め板８が弾性体１０の弾性復元力によって上昇し、ボルト３の頭部３ａの外側部に係合してボルト３の緩みを防止することができる。
【００２３】
次に、図５乃至図８は、本発明におけるボルトまたはナットの回り止め構造の第２実施例乃至第５実施例を示す縦断面図である。これらの第２実施例乃至第５実施例において、第１実施例と同一の構成要素については、同一の符号を付してその説明を省略する。
【００２４】
第２実施例は、図５に示すように、ボルト３の頭部３ａの下面にスペーサー１２を一体に形成することによって、部品点数を減らして装着しやすくしたもので、このスペーサー１２の下面で座金１１の内周側上面を押さえるようにしている。
【００２５】
第３実施例は、図６に示すように、受枠２の凹溝４の底面部６にスペーサー１２を一体に形成することによって、部品点数を減らして装着しやすくしたもので、この場合は、座金を用いずに、弾性体１０の下面を凹溝４の底面部６に直接接着しておき、装着後回り止め板８がボルト３の頭部３ａから外れないようにしている。
【００２６】
次に、第４実施例は、図７に示すように、固定突出部１ａに植設されたアンカーボルト３に、上方からナット１５を螺合させて受枠２を側塊１上に固定する場合の例である。この第４実施例では、アンカーボルト３の先端を、受枠２の凹溝４の底面部６に形成した透孔６ａに挿通させ、このボルト３の先端に、一体とした座金１１，弾性体１０および回り止め板８を装着するとともに、スペーサー１２を弾性体１０に内接させてからナット１５を螺合するようにしており、このナット１５の外側部に係合孔９の係合部９ａを係合させてナット１５が緩むのを防止するようにしている。
【００２７】
さらに、第５実施例は、図８に示すように、受枠２の内周面下部に突出部２ａを形成し、その上面には凹溝を形成せずに平面としている。したがって、回り止め板８は、その一辺を折り曲げて爪部８ａを形成し、その爪部８ａを受枠２の突出部２ａの側面に係合させることによって、水平回転不能とされている。
【００２８】
以上、本発明のボルトまたはナットの回り止め構造について、各実施例を説明したが、本発明は、これらの各実施例に限定されるものではない。
【００２９】
例えば、実施例では、固定物としての側塊１の上方に被固定物としての受枠２を設置する際に、受枠２側でボルト３またはナット１５が緩むのを防止するようにしたが、固定物を受枠２とし被固定物を側塊１としてもよい。この場合には、上述した実施例においてボルト３またはナット１５が緩むのを防止したのと同様に、側塊１側でボルト３またはナット１５の緩みを防止する。
【００３０】
また、実施例では、回り止め機構のうち、座金１１，弾性体１０および回り止め板８をそれぞれ接着剤で接着して一体としたが、一体とする手段に限定されるものではない。なお、それぞれを一体とせずに装着してもよいが、装着後車両の振動や衝撃等で回り止め板８が外れるのを防止するためには、座金１１，弾性体１０および回り止め板８を一体として、座金１１の内周側上面をスペーサー１２で押圧しておくのが好ましい。
【００３１】
また、実施例では、回り止め板８の係合孔９に係合部９ａを３０°間隔で１２個形成しているが、さらに係合部９ａの個数を多くしておけば、係合部９ａをボルト３の頭部３ａまたはナット１５の外側部に係合させやすくなるため好ましい。
【００３２】
また、実施例では、側塊１に形成した固定突出部１ａおよび受枠２に形成した突出部２ａをそれぞれの内周面側に形成し、これらの固定突出部１ａおよび突出部２ａに挿通したボルト３が緩むのを防止する場合について説明したが、側塊１の上面に下端を埋設して立設させたアンカーボルトを受枠２の外周に形成したフランジのアンカー孔に挿通し、このアンカーボルトに螺合したナットが緩むのを防止する場合に適用してもよい。
【００３３】
【発明の効果】
本発明のボルトまたはナットの回り止め構造は上述のように構成したので、常時は回り止め板の係合孔がボルトの頭部またはナットの外側部に係合し、ボルトまたはナットの緩みを防止することができる。また、ボルトまたはナットを緩める場合、回り止め板を工具で対向面側に押圧することにより、弾性体が圧縮されて回り止め板の係合孔と、ボルトの頭部またはナットの外側部との係合が解除されるので、回り止め板を取り外さなくてもボルトまたはナットを緩ませることができる。しかも回り止め板を変形させることなくボルトまたはナットを回転させることができるため、回り止め板を取り替えることなく継続して使用することができる。
【００３４】
また、ボルトまたはナットを回転させた後、工具を外すときにボルトの頭部またはナットの外側部と回り止め板の係合孔とを整合させれば、回り止め板が弾性体の弾性復元力によって上昇して回り止め板の係合孔がボルトの頭部の外周またはナットの外側部に係合するため、回り止め板を装着するのを忘れることがなく、ボルトまたはナットの緩みを確実に防止すると共に、回り止め板を紛失するのを防止することができる。
【００３５】
また、スペーサーおよび弾性体の下方に座金を配置させ、この座金をスペーサーの下面と被固定物の対向面とで挟持し、座金、弾性体および回り止め板を相互に接合して一体としたことにより、装着後、振動や衝撃等で回り止め板がボルトまたはナットから外れるのを防止することができる。
【図面の簡単な説明】
【図１】本発明のボルトまたはナットの回り止め構造の第１実施例を示す縦断面図である。
【図２】図１を左方より見た斜視図である。
【図３】図２を受枠全体とともに示す分解斜視図である。
【図４】（イ）図は回り止め板を工具で下降させボルトを回転可能にした状態の正面図である。（ロ）図はボルトの締付けが完了し、回り止め板の係合部をボルトの頭部外側部に係合させた状態の正面図である。
【図５】本発明の第２実施例を示す正面図である。
【図６】本発明の第３実施例を示す正面図である。
【図７】本発明の第４実施例を示す縦断面図である。
【図８】本発明の第５実施例を示す縦断面図である。
【符号の説明】
１    側塊(固定物)
１ａ  固定突出部
１ｂ  インサートナット
２    受枠（被固定物）
２ａ  突出部
３    ボルト
３ａ  頭部
４    凹溝
５    側面部
６    底面部（対向面）
６ａ  透孔
７    蒿調整リング
８    回り止め板
８ａ  爪部
９    係合孔
９ａ  係合部
１０  弾性体
１１  座金
１２  スペーサー
１３  ボックススパナ
１４  ボルト挿通孔
１５  ナット
ＧＬ  グラウンドレベル
【図１】
0004213282.tif 000002
【図２】
0004213282.tif 000003
【図３】
0004213282.tif 000004
【図４】
0004213282.tif 000005
【図５】
0004213282.tif 000006
【図６】
0004213282.tif 000007
【図７】
0004213282.tif 000008
【図８】
0004213282.tif 000009